(57)【要約】【課題】取手と鎖錠装置の本体との間に防水・防塵用に介在させたパッキンや箱本体もしくは扉のパッキンの弾性により、閉状態における取手の浮き上がりを防止することができるクランプ式の鎖錠装置を提供する。【解決手段】取手７の開閉操作によってフック５がクランプ動作を行うクランプ式の鎖錠装置に、閉状態における取手７の浮き上がりを防止するラッチ機構３０を設け、閉状態における取手７の浮き上がりを防止する。ラッチ機構３０を取手７に設け、取手裏面に設けたラッチ操作片３１を把持することによってラッチを解除できるようにすることが好ましい。【選択図】  図５
2005002698.tif 000002
【特許請求の範囲】
【請求項１】
取手の開閉操作によってフックがクランプ動作を行うクランプ式の鎖錠装置において、閉状態における取手の浮き上がりを防止するラッチ機構を設けたことを特徴とするクランプ式の鎖錠装置。
【請求項２】
ラッチ機構を取手に設けるとともに、把持動作によって開状態となるラッチ操作片を、取手裏面に位置させた請求項１に記載のクランプ式の鎖錠装置。
【発明の詳細な説明】
【０００１】
【発明の属する技術分野】
本発明は、電気機器収納用箱などの扉に取り付けられるクランプ式の鎖錠装置に関するものである。
【０００２】
【従来の技術】
【特許文献１】特開２００１―２３４６５８号公報
【０００３】
電気機器収納用箱などの扉に取り付けられるクランプ式の鎖錠装置は、上記の特許文献１に示すように取手を扉面に対して垂直方向に開閉することにより、リンク機構を介してフックにクランプ動作及びアンクランプ動作を行わせる装置である。このような鎖錠装置は、特許文献１に示すように取手を閉じた状態ではリンク機構が中立点を越えた安定状態を取り、フック側からの力を受けても取手が開かないようになっている。しかし特許文献１に示すクランプ式の鎖錠装置はパッキンを備えていないため、防水・防塵性の点で問題がある。
【０００４】
そこで、防水・防塵のためにクランプ式の鎖錠装置の取手と鎖錠装置の本体との間にパッキンを介在させようとすると、このパッキンや、箱本体もしくは扉に付いているパッキンによって取手を閉状態にしたときにパッキンの弾性により浮き上がってしまい、美観が優れず、また場合によってはパッキンの弾性により取手が開状態にまで戻ってしまう可能性を生じた。
【０００５】
【発明が解決しようとする課題】
本発明は上記した従来の問題点を解決し、取手と鎖錠装置の本体との間に防水・防塵用に介在させたパッキンや、箱本体もしくは扉に付いているパッキンの弾性によって、閉状態における取手の浮き上がりを防止することができるクランプ式の鎖錠装置を提供するためになされたものである。
【０００６】
【課題を解決するための手段】
上記の課題を解決するためになされた本発明のクランプ式の鎖錠装置は、取手の開閉操作によってフックがクランプ動作を行うクランプ式の鎖錠装置において、閉状態における取手の浮き上がりを防止するラッチ機構を設けたことを特徴とするものである。なお、ラッチ機構を取手に設けるとともに、把持動作によって開状態となるラッチ操作片を取手裏面に位置させた構造とすることが好ましい。
【０００７】
本発明のクランプ式の鎖錠装置によれば、パッキンの弾性によっても、閉状態における取手の浮き上がりをラッチ機構によって確実に防止することができる。このため美観に優れ、取手が開状態まで戻ってしまう可能性を無くすることができる。また請求項２のような構造とすれば、ラッチ操作を容易に行うことができる。
【０００８】
【発明の実施の形態】
以下に本発明の好ましい実施形態を示す。
図１は本発明の実施形態の外観斜視図、図２は取手を開いた状態を示す正面図、図３は取手を閉じた状態を示す正面図、図４は分解斜視図、図５は取手を閉じた状態の断面図、図６は取手を開いた状態の断面図、図７はパッキンの斜視図である。
【０００９】
これらの図において１は中空の本体であり、図２に示すように、この本体１は電気機器収納用箱などの扉２の外面に取り付けられるものである。その中央部には取手７のための開口部１３が形成されている。本体１の下部には、２個の軸受３、４が突設されている。先端側の軸受３には、Ｌ型のフック５が軸６により軸支されている。開口部１３に収納される取手７の先端部には、下方に延びる腕部８が突設されており、この腕部８の下端が本体１の中央側の軸受４に軸９により軸支されている。図５の状態ではフック５は図示しない箱本体側の金具をクランプし、扉を開けないように鎖錠する。また、図６はフック５が開かれた状態を示している。
【００１０】
取手７の腕部８の軸９よりも更に先端側には、軸１０によりリンク１１の一端が軸支されており、このリンク１１の他端はフック５の屈曲部に軸１２により軸支されている。これにより、軸６と軸９を固定連結点とし、軸１０と軸１２を可動連結点とする４バーリンク機構が構成される。このリンク機構は、図６のように取手７を開けばフック５の先端を下方に開き、図５のように取手７を閉じるとフック５の先端を上方に移動させてフック５に締付け動作を行わせる。以上の構造は従来のクランプ式の鎖錠装置と同様である。
【００１１】
前記したように、本体１の上面には取手７を挿入できる開口部１３が形成されており、その周囲には取手７の側面と密着できる垂直平面部１４が形成されている。そこでこの実施形態では、図７に示すような枠状パッキン１５を装着して本体１の開口部１３の周囲をシールする。この枠状パッキン１５は四角形の枠状部１６と、取手７の腕部８の周囲を保持する四角筒状のストッパ１７とを、ゴムにより一体成形したものである。ストッパ１７の下部には、取手７の腕部８を本体１に軸支している軸９を挿入するための貫通孔２１が形成されている。
【００１２】
この枠状パッキン１５は、図５，図６に示されるように取手７の腕部８に下側から嵌め込まれ、貫通孔２１に軸９を挿入して組み立てることにより、取手７と一体化されている。このため、図６のように取手７を持ち上げても枠状パッキン１５は常に取手７と一緒に動き、その位置がずれることはない。そこで図５のように取手７を閉じれば、取手７の下面により枠状パッキン１５の枠状部１６は本体１に向かって押圧され、本体１の開口部１３の周囲はシールされる。
【００１３】
ところが、前記したように取手７を閉状態としたときに枠状パッキン１５の弾性により取手７が上方に押し上げられ、浮き上がりを生ずるおそれがある。また、この他にも電気機器収納用箱の箱本体もしくは扉２に設けたパッキン（図示せず）によっても、扉を閉じて取手７を閉状態にした時にも浮き上がりを生じるおそれがあった。そこで本発明では、閉状態における取手７の浮き上がりを防止するラッチ機構３０を設けた。このラッチ機構３０は、取手７の裏面にラッチ操作片３１を軸３２により軸支するとともに、本体１側にラッチ操作片３１のラッチ部３３が係合する係合部３４を設けたものである。
【００１４】
ラッチ操作片３１はＬ字型のもので、その全体はネジリコイルバネ３５によって、ラッチ部３３が係合部３４に係合する方向に弾発されている。またラッチ操作片３１のラッチ部３３より下側の部分はラッチ部３３の向かって傾斜するガイド面３６になっており、取手７を閉じると本体１の係合部３４とガイド面３６とが接触することによってネジリコイルバネ３５に抗してラッチ操作片３１を僅かに回転させ、ラッチ部３３を本体１の係合部３４に係合させることができるようになっている。
【００１５】
このため、取手７を閉状態とする際に強く本体１に向かって押し付け、図５のようにラッチ部３３を本体１の係合部３４に係合させておけば、枠状パッキン１５の弾性や箱本体もしくは扉２に設けたパッキン（図示せず）の弾性により取手７が押し上げられても取手７が浮き上がるおそれはない。このため本発明の鎖錠装置は見栄えがよいうえ、従来のように取手６が開状態となってしまうこともない。この状態ではラッチ操作片３１のレバー部は取手７とほぼ平行になっている。
【００１６】
取手７を開くときには図３に示すように、指先をラッチ操作片３１のレバー部３６に掛けて把持動作を行えば、ラッチ操作片３１は回転してラッチ部３３が本体１の係合部３４から外れる。すると、取手７の腕部８の下端と本体１の下部との間に設けられたコイルバネ３７が取手７を押し上げるので、取手７は本体１から跳ね上げられるように開く。その結果、リンク機構を介してフック５の先端が下方に開き、扉２が開錠される。
【００１７】
このほか、本体１には従来と同様にシリンダー錠４０が設けられており。キーによる施錠も可能となっている。このシリンダー錠４０は取手７のキー孔４１から操作されるものである。このシリンダー錠４０を施錠した状態では取手７が開かないことはもちろんであるが、本発明の鎖錠装置はシリンダー錠４０を開錠した場合にもラッチ操作片３１を操作しなければ、取手７が浮き上がることはない。
【００１８】
【発明の効果】
以上に説明したように、本発明のクランプ式の鎖錠装置は、閉状態における取手の浮き上がりを防止するラッチ機構を設けたことにより、本体と取手との間に防水・防塵用に介在させたパッキンや箱本体もしくは扉に付いているパッキンの弾性によって、閉状態における取手の浮き上がりを確実に防止することができる。このため従来のように美観を損ねたり、取手が開状態となってしまうことがない。また請求項２のように把持動作によって開状態となるラッチ操作片を取手裏面に位置させれば、ワンタッチで取手を開くことができる利点がある。
【図面の簡単な説明】
【図１】本発明の実施形態の外観斜視図である。
【図２】取手を開いた状態を示す正面図である。
【図３】取手を閉じた状態を示す正面図である。
【図４】分解斜視図である。
【図５】取手を閉じた状態の断面図である。
【図６】取手を開いた状態の断面図である。
【図７】パッキンの上下両方向からの斜視図である。
【符号の説明】
１  本体
２  扉
３  軸受
４  軸受
５  フック
６  軸
７  取手
８  腕部
９  軸
１０  軸
１１  リンク
１２  軸
１３  開口部
１４  垂直平面部
１５  枠状パッキン
１６  枠状部
１７  ストッパ
２１  貫通孔
３０  ラッチ機構
３１  ラッチ操作片
３２  軸
３３  ラッチ部
３４  係合部
３５  ネジリコイルバネ
３６  ガイド面
４０  シリンダー錠
４１  キー孔
【図１】
2005002698.tif 000003
【図２】
2005002698.tif 000004
【図３】
2005002698.tif 000005
【図４】
2005002698.tif 000006
【図５】
2005002698.tif 000007
【図６】
2005002698.tif 000008
【図７】
2005002698.tif 000009